(57)【特許請求の範囲】
【請求項１】
枠体と、前記枠体の枠内に配置されスライドして移動可能な障子と、を有する開口部装置であって、
前記障子は、透明なパネルと、前記パネルに貼合された、通電により光の透過率を変更可能な調光層と、を備え、
前記枠体又は前記障子の一方には導電性の回転機構を有する回転電極が具備されており、
前記回転電極が前記障子に設けられたときには、前記回転電極は前記障子の框のうち、前記パネルの端面側とは反対側から立設する軸及び該軸周りに回転する回転子を有し、又は、前記回転電極が前記枠体に設けられたときには、前記枠体から前記障子に向けて垂下する軸及び該軸周りに回転する回転子を有し、
前記回転電極が具備されない側の前記枠体又は前記障子には、前記回転電極が転がりながら接触しつつ移動する直線状の電極が備えられている、開口部装置。
【請求項２】
前記直線状の電極は、前記障子の可動範囲以上の長さを有する、請求項１に記載の開口部装置。
【請求項３】
前記調光層が高分子分散型液晶を含むことを特徴とする請求項１又は２に記載の開口部装置。
【請求項４】
前記調光層が懸濁粒子デバイスを含むことを特徴とする請求項1又は２に記載の開口部装置。
【請求項５】
前記調光層がゲスト−ホスト式液晶を含むことを特徴とする請求項１又は２に記載の開口部装置。
【請求項６】
前記調光層がエレクトロクロミック素子を含むことを特徴とする請求項１又は２に記載の開口部装置。
【発明の詳細な説明】
【技術分野】
【０００１】
本発明は、通電することで光の透過率を変更可能な開口部装置に関し、より詳しくは、左右又は上下にスライドさせることにより障子を開閉可能としつつ、通電により光の透過率を変更可能な開口部装置に関する。
【背景技術】
【０００２】
通電することで光の透過率を変更することができる開口部装置（窓や扉等、建物や乗り物の開口部に備えられる装置）が、省エネルギー及び空間演出の観点から注目を集めている（例えば特許文献１）。これら開口部装置は、調光式ウィンドウと呼ばれることもあり、光を透過する部分に高分子分散型液晶（ＰＤＬＣ）、懸濁粒子デバイス（ＳＰＤ）、ゲストーホスト液晶素子、エレクトロクロミック素子等による光の透過率を変更できる調光層を設けて光の透過率の変更を可能としている。
【先行技術文献】
【特許文献】
【０００３】
【特許文献１】特開平８−２１９９０号公報
【発明の概要】
【発明が解決しようとする課題】
【０００４】
これらの開口部装置では、光の透過率を変更するために通電が必要であり、外部電源との電気的な接続を要する。そのため、従来の開口部装置では、開口部装置の端部から透明導電層を露出させ、当該露出させた部分に導電性の接着剤で金属箔を接着し、その金属箔に銅線をハンダづけすることで電源に接続していた。
しかしながら、開口部装置（調光式ウィンドウ）は、この調光層をガラス板に貼合又は合わせガラス加工した後に、調光層に接続された導線を建築物の電源に接続するため、調光式に加工された開口部装置を移動させることができず、嵌め殺しとし、障子を開閉とすることができなかった。
【０００５】
そこで本発明は、かかる問題に鑑み、スライドする障子を具備していても通電により光の透過率の変更が可能な開口部装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
本発明の１つの態様は、枠体（２）と、枠体の枠内に配置されスライドして移動可能な障子（１０、２０）と、を有する開口部装置（１、１０１）であって、障子は、透明なパネル（１２）と、パネルに貼合された、通電により光の透過率を変更可能な調光層（１３）と、を備え、枠体又は障子の一方には導電性の回転機構を有する回転電極（３１、３５）が具備されており、回転電極が具備されない側の枠体又は障子には、回転電極が転がりながら接触しつつ移動する直線状の電極（３２、３６）が備えられている、開口部装置である。
【０００８】
ここで、直線状の電極（３２、３６）は、障子（１０、２０）の可動範囲以上の長さを有することができる。
【０００９】
調光層は高分子分散型液晶を含むことができる。
【００１０】
調光層が懸濁粒子デバイスを含むものとしてもよい。
【００１１】
調光層がゲスト−ホスト式液晶を含むものとしてもよい。
【００１２】
調光層がエレクトロクロミック素子を含むものとしてもよい。
【発明の効果】
【００１３】
本発明によれば、障子がスライドして開閉できる形態でも回転電極が直線状の電極に触れているので通電状態が維持され、通電により光の透過率の変更が可能である。
【図面の簡単な説明】
【００１４】
【図１】１つの形態にかかる開口部装置１の室外視正面図である。
【図２】開口部装置１の鉛直方向断面図である。
【図３】液晶層１６の層構成を説明する図である。
【図４】通電手段３０を説明する斜視図である。
【図５】開口部装置１０１の鉛直方向断面図である。
【図６】通電手段１３０を説明する斜視図である。
【発明を実施するための形態】
【００１５】
以下本発明を図面に示す形態に基づき説明する。ただし本発明は当該形態に限定されるものではない。
【００１６】
図１は１つの形態にかかる開口部装置１を模式的に示した室外視正面図である。図２は開口部装置１の鉛直方向断面図である。図２では紙面左が室外側、紙面右が室内側である。以下、図１、図２及び適宜示す図を参照しつつ開口部装置１について説明する。
【００１７】
開口部装置１は、建物や乗り物の開口部の４辺の縁に沿って備えられる枠体２と、該枠体２の内側に配置され、引戸式にスライドして移動可能な障子である外障子１０と、枠体２の内側のうち外障子１０よりも室内側に配置され、引戸式にスライドして移動可能な障子である内障子２０と、通電手段３０と、を備えている。
【００１８】
枠体２は、建物や乗り物の開口部の４辺に沿って設けられる長尺の枠材である縦枠３、４、上横枠５、及び下横枠６が枠状に組み合わされて形成されている。上横枠５及び下横枠６の断面形状は図２に表されている。縦枠３、縦枠４、上横枠５、及び下横枠６の断面形状は特に限定されることはなく、公知の形態を適用することができる。ただし、少なくとも上横枠５は後述するように通電手段３０の一部がその内側に配置されるように構成されている。ここでは本形態の上横枠５の断面形状について簡単に説明する。
【００１９】
上横枠５は建物や乗り物の開口部の上縁に沿って配置される枠材で、その断面は図２からわかるように複数の片が組み合わされて所定の形状とされている。当該上横枠５には外障子１０、内障子２０の上端が配置される。特に、当該断面において上横枠５は、見込方向（紙面左右方向）に延びる片５ａを有し、当該片５ａから見付け方向に延びる片３つの片５ｂ、５ｃ、５ｄが見込み方向に並べられ、２つの凹部５ｅ、５ｆが形成されている。そして当該凹部５ｅ、５ｆに外障子１０及び内障子２０の上端部が配置される。これにより外障子１０、及び内障子２０が枠体２内を引戸式にスライドするように移動する際に、上横枠５が外障子１０及び内障子２０の上端を保持するとともにガイドする。
後で説明するように当該凹部５ｅ、５ｆに通電手段３０の少なくとも一部が配置される。
【００２０】
外障子１０は、パネル１１、戸先框１９ａ、外召し合わせ框１９ｂ、上横框１９ｃ、下横框１９ｄを備えている。ここで外障子１０は枠体２の内側を見付方向にスライドさせて移動できるいわゆる引戸である。
【００２１】
本形態でパネル１１は、図２に表れているように、透明パネル１２、及び調光層１３を有して構成されている。
透明パネル１２は、通常の開口部装置に用いられる透明なガラスパネル又は樹脂パネルである。従って、透明パネル１２は公知のものを用いることができる。なお、本形態では透明パネル１２は単層のガラスパネルにより構成されているが、複層のガラスパネルが用いられてもよい。
【００２２】
調光層１３は、透明パネル１２のうちの少なくとも一方の面に積層される層であり、通電により光の透過率を変更することができる層である。本形態では調光層１３は透明パネル１２の室内側面に粘着剤により貼合されている。
粘着剤としては、光学用途に対応した粘着剤を用いることが好ましい。具体的には、粘着層の全光線透過率が９０％以上であり、ヘイズが１．０以下となるように粘着剤の種類と厚さを選定することが好ましい。市販の粘着剤では、ＣＳ９６２１、ＨＪ９１５０Ｗ（日東電工製）、ＤＨ４２５Ａ（サンエー化研製）、ＺＡＣＲＯＳ  ＴＲ−１８０１Ａ（藤森工業製）、ＰＤ−Ｓ１（パナック製）、ＭＯ−３００６Ｃ、ＭＯ−３０１２Ｃ（リンテック製）等を用いることができる。
【００２３】
図３には、調光層１３の層構成を表した。図３に示したように、調光層１３は、第１支持板１４、第１支持板１４に所定の間隔を有して配置された第２支持板１５、及び、第１支持板１４と第２支持板１５との間に配置された液晶層１６を備えている。
【００２４】
第１支持板１４及び第２支持板１５は、液晶層１６を挟むようにして支持するとともに、液晶層１６に電界を印加する機能を有する。第１支持板１４は、第１基材１４ａと、第１基材１４ａの一方の面に設けられた第１透明導電層１４ｂとを有している。また、第２支持板１５は、第２基材１５ａと、第２基材１５ａの一方の面に設けられた第２透明導電層１５ｂとを有している。本形態では、調光層１３は、第１基材１４ａ、第１透明導電層１４ｂ、液晶層１６、第２透明導電層１５ｂ、及び第２基材１５ａがこの順に積層されている。従って、液晶層１６の一方の面に第１透明導電層１４ｂ、他方の面に第２透明導電層１５ｂが配置されている。
【００２５】
第１基材１４ａ、第２基材１５ａは、第１透明導電層１４ｂ、第２透明導電層１５ｂをそれぞれ支持する支持体として機能する。第１基材１４ａ、第２基材１５ａの材料としてしては、特に限定されるものではなく、例えば可撓性を有する各種の透明なフィルム材を用いることができる。具体的な例としては、ポリエチレンテレフタレート（ＰＥＴ）、ポリエチレンナフタレート（ＰＥＮ）等のポリエステル樹脂、ポリメチルメタクリレート（ＰＭＭＡ）等のアクリル樹脂、ポリプロピレン（ＰＰ）等のポリオレフィン樹脂、トリアセリルセルロース（三酢酸セルロース；ＴＡＣ）等のセルロース系樹脂、シクロオレフィンポリマー（ＣＯＰ）、ポリカーボネート（ＰＣ）樹脂などを含有するフィルム材料を用いることができる。
また第１基材１４ａ、第２基材１５ａの厚さは、例えば２０μｍ以上３００μｍ以下のものを用いることが効果的でより好ましくは５０μｍ以上１５０μｍ以下とすることもできる。
【００２６】
第１透明導電層１４ｂ、第２透明導電層１５ｂは、通電されることにより液晶層１６に電界を印加し、これにより液晶層１６の後述する高分子マトリクス中に分散された液晶材料に含まれる液晶分子の向きを変化させる。
【００２７】
第１透明導電層１４ｂ、第２透明導電層１５ｂとしては、液晶層１６において液滴が分散された透明高分子樹脂層にほぼ均一な電界を印加することが可能であって、透明と知覚される種々の構成のものを適用することができる。例えば、透明導電材であるＩＴＯ（Indium Tin Oxide）、ＩＺＯ(Indium Zinc Oxide)、ＡＺＯ(Aluminum-doped Zinc Oxide)、ＺＮＯ(Zinc Oxide)等の金属酸化物膜のほか、導電性高分子膜、銀ナノワイヤー、カーボンナノチューブ等を用いることができる。透明導電層のシート抵抗としては、特に限定されないが、１００Ω□以上３００Ω／□以下、光透過率としては８５％以上であることが好ましい。
本形態においては、このような透明導電材による透明導電層膜を、上述した透明な第１基材、第２基材の全面に形成して用いることができる。
【００２８】
液晶層１６は、第１透明導電層１４ｂ及び第２透明導電層１５ｂによる電界の印加状態に基づいて、液晶層１６を介した透視性を変化させる。液晶層１６は、本形態では高分子マトリクスと、この高分子マトリクス中に分散された液晶材料と、スペーサと、を有する。
【００２９】
液晶層１６は、一例として、重合性を有するモノマーと光重合開始剤、及び重合基を有しない液晶材料を混合し、モノマーが光重合する際に液晶が相分離することにより形成させることができる。これにより、モノマーが重合したものが液晶層１６の高分子マトリクスをなすようになり、相分離した重合基を有しない液晶材料が液晶層１６の液晶材料をなすようになる。
【００３０】
液晶材料は、長手方向を有する液晶分子を含んだ液状の材料である。液晶分子はその形状に対応した屈折率異方性を有している。すなわち、液晶分子の長手方向に直交する方向における屈折率と、液晶分子の長手方向平行な方向での屈折率とは異なっている。このような液晶材料としては、特に限定されないがＥ７(メルク社)等のネマティック材料を用いることができる。重合性を有するモノマーとしては、液晶を相分離させることが可能でかつ透明であればよく、単官能、多官能いずれの重合性モノマー（重合性基）を有する樹脂を使用することができる。このような樹脂としては、例えば、メチル（メタ）アクリレート等の単官能（メタ）アクリレート類、１，６−ヘキサンジオールジ（メタ）アクリレート、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の多官能（メタ）アクリレート類等が挙げられる。なお、（メタ）アクリレートとの表記は、アクリレート又はメタクリレートを意味する。また、アクリル系以外にも、カチオン重合性モノマーとして、３，４−エポキシシクロヘキセニルメチル−３’，４’−エポキシシクロヘキセンカルボキシレート等の脂環式エポキシド類、ビスフェノールＡジグリシジルエーテル等のグリシジルエーテル類等が挙げられる。これら重合性モノマーは、要求される性能、塗布適性等に応じて、１種類単独、又は２種類以上を併用して用いることができる。
【００３１】
光重合開始剤としては特に限られることなく種々の光重合開始剤を使用することができる。例えば、ベンゾイン及びそのアルキルエーテル化物、ベンジルケタール類、アセトフェノン類、アセトフェノン類としては、例えばヒドロキシアセトフェノン、アミノアセトフェノン、ジアルコキシアセトフェノン、ハロゲン化アセトフェノン等を使用することができる。これらの光重合開始剤は、例えば、イルガキュア（登録商標）９０７、イルガキュア６５１、イルガキュア１８４等の商品が市販されており、これらを単独で、あるいは混合して用いることができる。
【００３２】
スペーサは第１支持板１４と第２支持板１５との間隔を所定の大きさに保持し、これにより液晶層１６の厚さを所定の大きさに維持する機能を有する。スペーサとしては、例えばプラスチックビーズ等の光透過性の高い樹脂製のものを用いることができる。スペーサの形態は特に限定されることはなく、球状や他の形状であってもよい。
【００３３】
このようにして形成された調光層１３では、液晶分子が配向されている状態において、液晶分子の長手方向に直交する方向における屈折率と高分子マトリクスの屈折率とが揃う。この状態において、調光層１３に入射した光は、進行方向を大きく曲げることなく、調光層１３を透過することができる。すなわち、液晶分子が配向されている状態において、調光層１３は低ヘイズ状態となる。従ってこのときには調光層１３は透明で光の透過率が高い状態となる。
【００３４】
一方、調光層１３において、液晶分子が配向されていない状態では、液晶分子の長手方向の向きが、当該液晶分子の近傍に位置する高分子マトリクスにも依存して不規則になる。この状態において、調光層１３に入射した光は、拡散される。すなわち、液晶分子が配向されていない状態において、調光層１３のヘイズは高い状態となる。このときには調光層１３は白濁した状態となり、光の透過率が低く、調光層１３を介して反対側の視認性が悪くなる。
【００３５】
本形態では、調光層が高分子分散型液晶を含むことにより形成される例を示した。ただし、通電により光の透過率を変更することができればこれに限られることはなく、調光層が懸濁粒子デバイスを含む態様、調光層がゲスト−ホスト式液晶を含む態様、調光層がエレクトロクロミック素子を含む態様などにより構成することもできる。
【００３６】
戸先框１９ａはパネル１１の４辺のうち戸先側に配置される辺に沿って具備される縦框である。また、外召し合わせ框１９ｂは、パネル１１の縦縁の１つに沿って設けられ、召し合わせ部分となる縦框である。戸先框１９ａ、外召し合わせ框１９ｂの形態は公知のものを適用することができる。
【００３７】
上横框１９ｃはパネル１１の上縁に沿って配置される框、下横框１９ｄはパネル１１の下縁に沿って配置される框である。上横框１９ｃ、及び下横框１９ｄは図２に示した所定の断面を有して長手方向（図２の紙面奥／手前方向）に延在する。ただし、上横框１９ｃ、及び下横框１９ｄはこの形態に限定されることなく、公知の形態を適用することができる。
【００３８】
内障子２０は、パネル１１、戸先框２９ａ、内召し合わせ框２９ｂ、上横框２９ｃ、及び下横框２９ｄを有している。ここで内障子２０は、外障子１０よりも室内側において、枠体２の内側を見付方向にスライドさせて移動できるいわゆる引戸である。内障子２０も外障子１０と同様の構成を備えているので、ここでは説明を省略する。
【００３９】
通電手段３０は、外障子１０、及び内障子２０をスライドして開閉可能としつつも、上記した調光層１３に対して通電する手段である。通電手段３０は外障子１０及び内障子２０のそれぞれに設けられている。ここでは内障子２０側の通電手段３０について説明するが、外障子１０側の通電手段も同様である。図４には図２に矢印ＩＶで示した方向から見た図で、一部の部材を省略する等して内障子２０の上端部を表し、通電手段３０の構造を説明する図を示した。図２、図４からわかるように、通電手段３０は、第１回転電極３１、第１直線電極３２、導線３３、第２回転電極３５、第２直線電極３６、及び導線３７を有して構成されている。
【００４０】
第１回転電極３１は、導電性を有する軸３１ａ、この軸３１ａを軸として回転可能な導電性を有する円板状の回転子３１ｂ、及び、軸３１ａと、上記した液晶層１６の第１透明導電層１４ｂとを電気的に接続する導線３１ｃを有して構成されている。
本形態で軸３１ａは上横框１９ｃのうちパネル１１が配置された側とは反対側から立設された棒状の導電性部材である。
回転子３１ｂは、軸３１ａを回転軸として回転可能に保持された円板状の導電性部材である。従って軸３１ａと回転子３１ｂとは常に電気的に導通した状態にある。
導線３１ｃは、その一端が軸３１ａ、他端が液晶層１６の第１透明導電層１４ｂに接続された導線である。
【００４１】
第１直線電極３２は、帯状に形成された直線状の電極である。第１直線電極３２は外障子１０の移動中にも第１回転電極が触れているようにするため、第１直線電極３２の長さは外障子１０の可動範囲以上であることが好ましい。
導線３３は第１直線電極３２から開口部装置１の外部に配置された電源に接続される導線である。
【００４２】
第２回転電極３５は、導電性を有する軸３５ａ、この軸３５ａを軸として回転可能な導電性を有する円板状の回転子３５ｂ、及び軸３５ａと、上記した液晶層１６の第２透明導電層１５ｂとを電気的に接続する導線３５ｃを有して構成されている。
本形態で軸３５ａは上横框１９ｃのうちパネル１１が配置された側とは反対側から立設された棒状の導電性部材である。
回転子３５ｂは、軸３５ａを回転軸として回転可能に保持された円板状の導電性部材である。従って軸３５ａと回転子３５ｂとは常に電気的に導通した状態にある。
導線３５ｃは、その一端が軸３５ａ、他端が液晶層１６の第２透明導電層１５ｂに接続された導線である。
【００４３】
第２直線電極３６は、帯状に形成された直線状の電極である。第２直線電極３２は外障子１０の移動中にも第２回転電極３５が触れているようにするため、第２直線電極３２の長さは外障子１０の可動範囲以上であることが好ましい。
導線３７は第２直線電極３６から開口部装置１の外部に配置された電源に接続される導線である。
【００４４】
以上のような構成を有する通電手段３０は、次のように他の部材と組み合わされる。
第１回転電極３１の軸３１ａが上框１９ｃに立設されている。そしてこの軸３１ａを軸として回転子３１ｂが水平方向に平行な回転をするように設置される。また軸３１ａと調光層１３の第１透明導電層１４ｂとは導線３１ｃにより電気的に接続されている。
一方、第１直線電極３２は、図２、図４からわかるように、上横枠５のうち片５ｄの内側（内障子２０が配置される側の面）に該片５ｄの長手方向（内障子２０が移動する方向）に配置されている。そして第１直線電極３２は導線３３により外部電源と電気的に接続されている。
これに加えて、内障子２０が枠体２の枠組みの内側に配置された姿勢において、これら軸３１ａ、回転子３１ｂ及び第１直線電極３２は上横枠５の内側に囲まれた内側に配置され、外観から隠蔽される。そしてその際には、回転子３１ｂの側端面が第１直線電極３２の表面に接触し、内障子２０の移動に追随して回転子３１ｂの端面が第１直線電極３２の表面上を転がるように移動する。
【００４５】
同様にして、第２回転電極３５の軸３５ａが上框１９ｃに立設されている。そしてこの軸３５ａを軸として回転子３５ｂが水平方向に平行な回転をするように設置される。また軸３５ａと調光層１３の第２透明導電層１５ｂとは導線３５ｃにより電気的に接続されている。
一方、第２直線電極３２は、図２、図４からわかるように、上横枠５のうち片５ｄの内側（内障子２０が配置される側の面）に該片５ｄの長手方向（内障子２０が移動する方向）に配置されている。そして第２直線電極３６は導線３７により外部電源と電気的に接続されている。
これに加えて、内障子２０が枠体２の枠組みの内側に配置された姿勢において、これら軸３５ａ、回転子３５ｂ及び第２直線電極３６は上横枠５の内側に囲まれた内側に配置され、外観から隠蔽される。そしてその際には、回転子３５ｂの側端面が第２直線電極３６の表面に接触し、内障子２０の移動に追随して回転子３５ｂの端面が第２直線電極３６の表面上を転がるように移動する。
【００４６】
以上のような開口部装置１によれば、開口部装置としての通常の機能に加えて、外部からの通電により、調光層１３で光の透過率を変更することができ、開口部装置１を介した反対側の視認性を変更することができる。また、その際にも通電が維持されつつ、障子は引戸式に開閉可能であり、開口部装置としての利便性が高められている。
【００４７】
図５、図６には他の形態の開口部装置１０１を説明するための図を示した。図５は図２に相当する図、図６は図４に相当する図である。本形態の開口部装置１０１は、上記した開口部装置１の通電手段３０の代わりに通電手段１３０が適用された例である。従って通電手段以外同じなのでここでは通電手段１３０についてのみ説明する。本形態の通電手段１３０は、上横枠５側に第１回転電極３１、及び第２回転電極３５が配置され、内障子２０側に第１直線電極３２及び第２直線電極３６を有している。より詳しくは次の通りである。
【００４８】
通電手段１３０も外障子１０、及び内障子２０をスライドして開閉可能としつつ、上記した調光層１３に対して通電する手段である。通電手段１３０は外障子１０及び内障子２０のそれぞれに設けられている。ここでは内障子２０側の通電手段１３０について説明するが、外障子１０側の通電手段も同様である。図５、図６からわかるように、通電手段１３０も、第１回転電極３１、第１直線電極３２、導線３３、第２回転電極３５、第２直線電極３６、導線３７を有して構成されている。
【００４９】
本形態の第１回転電極３１は、導電性を有する軸３１ａ、この軸３１ａを軸として回転可能な導電性を有する円板状の回転子３１ｂを有して構成されている。
本形態で軸３１ａは上横枠５の片５ａのうち内障子２０が配置された側に向けて垂下するように設けられた棒状の導電性部材である。
回転子３１ｂは、軸３１ａを回転軸として回転可能に保持された円板状の導電性部材である。従って軸３１ａと回転子３１ｂとは常に電気的に導通した状態にある。
【００５０】
第１直線電極３２は、帯状に形成された電極である。そして、本形態では第１直線電極３２と、液晶層１６の第１透明導電層１４ｂとが導線３１ｃで電気的に接続されている。また、導線３３は軸３１ａから開口部装置１０１の外部に配置された電源に接続される導線である。
【００５１】
第２回転電極３５は、導電性を有する軸３５ａ、この軸３５ａを軸として回転可能な導電性を有する円板状の回転子３５ｂを有して構成されている。
本形態で軸３５ａは上横枠５の片５ａのうち内障子２０が配置された側に向けて垂下するように設けられた棒状の導電性部材である。
回転子３５ｂは、軸３５ａを回転軸として回転可能に保持された円板状の導電性部材である。従って軸３５ａと回転子３５ｂとは常に電気的に導通した状態にある。
【００５２】
第２直線電極３６は、帯状に形成された電極である。そして、本形態では第２直線電極３６と、液晶層１６の第２透明導電層１５ｂとが導線３５ｃで電気的に接続されている。また、導線３７は軸３１ａから開口部装置１０１の外部に配置された電源に接続される導線である。
【００５３】
以上のような構成を有する通電手段１３０は、次のように他の部材と組み合わされる。
第１回転電極３１の軸３１ａが上横枠５から内障子２０に向けて垂下するように設けられている。そしてこの軸３１ａを軸として回転子３１ｂが水平方向に平行な回転をするように設置される。また軸３１ａは導線３３により外部電源と電気的に接続されている。
一方、第１直線電極３２は、図５、図６からわかるように、横上框２９ｃから、上横枠５に向けて立設されるとともに、上横框２９ｃの長手方向（内障子２０が移動する方向）に延びるように配置されている。そして第１直線電極３２は、調光層１３の第１透明導電層１４ｂと導線３１ｃにより電気的に接続されている。
これに加えて、内障子２０が枠体２の枠組みの内側に配置された姿勢において、これら軸３１ａ、回転子３１ｂ及び第１直線電極３２は上横枠５に囲まれた内側に配置され、外観から隠蔽される。そしてその際には、回転子３１ｂの側端面が第１直線電極３２の表面に接触し、内障子２０の移動に追随して回転子３１ｂの端面が第１直線電極３２の表面上を転がるように移動する。
【００５４】
同様にして、第２回転電極３５の軸３５ａが上横枠５から内障子２０に向けて垂下するように設けられている。そしてこの軸３５ａを軸として回転子３５ｂが水平方向に平行な回転をするように設置される。また軸３５ａは導線３７により外部電源と電気的に接続されている。
一方、第２直線電極３６は、図５、図６からわかるように、横上框２９ｃから、上横枠５に向けて立設されるとともに、上横框２９ｃの長手方向（内障子２０が移動する方向）に延びるように配置されている。そして第２直線電極３２は、調光層１３の第２透明導電層１５ｂと導線３５ｃにより電気的に接続されている。
これに加えて、内障子２０が枠体２の枠組みの内側に配置された姿勢において、これら軸３５ａ、回転子３５ｂ及び第２直線電極３６は上横枠５に囲まれた内側に配置され、外観から隠蔽される。そしてその際には、回転子３５ｂの側端面が第２直線電極３６の表面に接触し、内障子２０の移動に追随して回転子３５ｂの端面が第２直線電極３６の表面上を転がるように移動する。
【００５５】
以上のような開口部装置１０１によっても、開口部装置としての通常の機能に加えて、外部からの通電により、調光層１３に光の透過率を変更することができ、開口部装置１を介した反対側の視認性を変更することができる。また、その際にも通電を維持しつつも障子は引戸式に開閉可能であり、開口部装置としての利便性が高められている。
【００５６】
以上説明した例では、障子が左右に引戸式に開閉する形態の開口部装置を説明したが、障子が上下にスライドする上げ下げ窓の形態の開口部装置であっても同じように考えることができる。
【符号の説明】
【００５７】
１、１０１  開口部装置
２  枠体
３  縦枠
４  縦枠
５  上横枠
６  下横枠
１０  外障子（障子）
１１  パネル
１２  透明パネル
１３  調光層
１４  第１支持板
１４ａ  第１基材
１４ｂ  第１透明導電層
１５  第２支持板
１５ａ  第２基材
１５ｂ  第２透明導電層
１６  液晶層
１９ａ  戸先框
１９ｂ  召し合わせ框（外召し合わせ框）
１９ｃ  上横框
１９ｄ  下横框
２０  内障子
３０  通電手段
３１  第１回転電極
３２  第１直線電極
３３  導線
３５  第２回転電極
３６  第２直線電極
３７  導線
【図１】
0006701837.tif 000002
【図２】
0006701837.tif 000003
【図３】
0006701837.tif 000004
【図４】
0006701837.tif 000005
【図５】
0006701837.tif 000006
【図６】
0006701837.tif 000007